(57)【要約】      （修正有）【課題】投薬包装された薬品と、薬の説明書が別々になっていることは、説明書の紛失や説明書が複数枚あったときの間違いなど、不便な点があった。投薬包装された薬品と、薬の説明書を一体化し上記の欠点を解決したものである。【解決手段】不透明紙５の片面に、ポリエチレン・ポリプロピレンのごとき熱可塑性樹脂フィルム２を梨地面６を形成して積層し、未積層の反対面にインクジェット印刷に適合した、平滑加工及び塗布剤７を積層して、形成された不透明積層紙９の断面図である。【選択図】図２
0003120545.tif 000002
【実用新案登録請求の範囲】
【請求項１】
透明又は不透明のフィルム１の片面にポリエチレン・ポリプロピレン等のごとき熱可塑性樹脂フィルム２を鏡面３を形成して積層したフィルム４と不透明紙５の片面にポリエチレン・ポリプロピレン等のごとき熱可塑性樹脂フィルム２を梨地面６を形成して積層した不透明紙５の反対面に、インクジェット印刷に適合した平滑加工及び塗布剤７を積層して形成された不透明積層紙９とを、鏡面３と梨地面６を向合わせ、一側縁の底に熱シール１０を施してなる、インクジェット印刷で薬品の詳細説明を、包装紙に表示する薬用連続包装用ラミネート紙。
【請求項２】
分包機で使用する薬用連続包装用ラミネート紙に、Ｚ折畳冊子状薬用連続包装用ラミネート紙を使用すること。
印刷部１８にてセンサーマークや病院名等を印刷し、鏡面３と梨地面６とを向合わせ、一側縁の底に熱シール部１９において熱シール１０を施し、ミシン部２０においてミシン加工を施し、折畳部２１において折畳み、センサーマーク２３で位置の整合を行ないながら、分包機で薬品包装をすると共に、インクジェット印刷で薬品の詳細説明を、包装紙に表示するＺ折畳冊子状薬用連続包装用ラミネート紙。
【考案の詳細な説明】
【技術分野】
【０００１】  本考案は、医療用薬品を分包機で包装するとき、包装された薬品の詳細説明をインクジェット印刷方式により、包装紙に克明に表示するものである。
【背景技術】
【０００２】  医療用薬品を、病院や薬局で投薬されるとき、包装された薬品を渡されると、同時に薬の詳細を口頭説明か、又は印刷された説明書を渡されていた。
【考案の開示】
【考案が解決しようとする課題】
【０００３】  投薬包装された薬品と、薬の説明書が別々になっていることは、説明書の紛失や説明書が複数枚あったときの間違いなど、不便な点があった。
本考案は、投薬包装された薬品と、薬の説明書を一体化し上記の欠点を解決したものである。
【課題を解決するための手段】
【０００４】  本考案は、透明又は不透明フィルム１の片面に、ポリエチレンやポリプロピレンのごとき熱可塑性樹脂フィルム２を鏡面３を形成して積層したフィルム４をロール状に巻取った原反１６を作る。    又不透明紙５の片面に、ポリエチレンやポリプロピレンのごとき熱可塑性樹詣フィルム２を梨地面６を形成して積層し、未積層の反対面にインクジェット印刷に適合した、平滑加工及び塗布剤７を積層して、形成された不透明積層紙９をロール状に巻取った原反１７を作る。
ロール状薬用連続包装用ラミネート紙は、原反１６の鏡面３と原反１７の梨地面６が向き合う様に、加工機にセットする、熱シール部１４で一縁側の底に熱シール１０を施し、スリッター部１５で進行方向に数状に裁断し、巻取って薬用連続包装用ラミネート紙複数本を得る。
Ｚ折畳冊子状薬用連続包装用ラミネート紙２２は、原反１６の鏡面３と原反１７の梨地面６が向き合う様に、印刷シール折畳機にセットする、原反１７より引出した不透明積層紙９の平滑加工及び塗布剤７を施した面８に、印刷部１８でセンサーマーク及び病院名等を印刷し、熱シール部１９で一縁側の底に熱シール１０を施し、ミシン部２０で折畳むためのミシン目を入れ、折畳部２１でＺ折畳加工を施し、冊子状の薬用連続包装用ラミネート紙２２が出来上がる。      印刷を施したセンサーマークは、分包機で薬品を包装するとき、ミシン目の整合調整を行なうマークである。
【考案の効果】
【０００５】  上述のように本考案は、従来投薬包装された薬と、薬の説明書が別々になっていて投薬包装紙に、薬の詳細説明を表示する技術がなかったので、薬の形状・色・効能・服用方法・服用時間・服用回数・その他使用の禁忌等インクジェット印刷方式を採用して、説明を詳細に鮮明に表示出来るようにし、利便と安心を与えた。
ロール状の薬用連続包装用ラミネート紙は、巻癖が残り薬の包装・印刷に支障をきたすことがあったり又収納部縮小も考慮し、Ｚ折畳冊子状の薬用連続包装用ラミネート紙に改良した。
【実施例】
【０００６】  以下、添付図面に従って実施例を説明する。
図１は透明又は不透明フィルム１の片面に、ポリエチレン・ポリプロピレンのごとき熱可塑性樹脂フィルム２を鏡面３を形成して積層したフィルム４の断面図である。
図２は不透明紙５の片面に、ポリエチレン・ポリプロピレンのごとき熱可塑性樹脂フィルム２を梨地面６を形成して積層し、未積層の反対面にインクジェット印刷に適合した、平滑加工及び塗布剤７を積層して、形成された不透明積層紙９の断面図である。
図３はロール状薬用連続包装用ラミネート紙。
図４は図３と図６のＡ−Ａ線断面図である。
図５は透明又は不透明の積層フィルム４をロール状に巻取った原反１６と、不透明積層紙９をロール状に巻取った原反１７とを、鏡面３と梨地面６が向合うように加工機にセットし、熱シール部１４で底に熱シール１０を施し、スリッター部１５で裁断して巻取った薬用連続包装用ラミネート紙の加工機の断面簡略図。
図６はＺ折畳冊子状薬用連続包装用ラミネート紙。
図７は透明又は不透明の積層フィルム４をロール状に巻取った原反１６と、不透明積層紙９をロール状に巻取った原反１７とを、鏡面３と梨地面６が向合うように印刷シール折畳機にセットし、印刷部１８でセンサーマークを印刷し、熱シール部１９で底に熱シール１０を施し、ミシン部２０でミシン加工を施し、折畳部２１でＺ折畳加工をして製品としたＺ折畳冊子状薬用連続包装用ラミネート紙２２の加工機の断面簡略図。
図８は薬用連続包装用ラミネート紙に薬が包装され、薬の説明の詳細が印刷表示された図である。
【図面の簡単な説明】
【０００７】
【図１】は透明又は不透明の積層フィルム４の断面図
【図２】は不透明積層紙８の断面図
【図３】はロール状薬用連続包装用ラミネート紙
【図４】は図３及び図６のＡ−Ａ線断面図
【図５】はロール状薬用連続包装用ラミネート紙加工機の断面簡略図
【図６】はＺ折畳冊子状薬用連続包装用ラミネート紙。
【図７】はＺ折畳冊子状薬用連続包装用ラミネート紙加工機の断面簡略図
【図８】は薬品包装完了平面図
【符号の説明】
【０００８】１          透明又は不透明フィルム
２          ポリエチレン・ポリフロピレンなど熱可塑性樹詣
３          鏡面
４          透明又は不透明の積層フィルム
５          不透明紙
６          梨地面
７          平滑加工及び塗布剤
８          鮮明印刷可能面
９          不透明積層紙
１０        底熱シール部
１１        ロール状薬用連続包装用ラミネート紙
１２        紙管又は樹脂管
１３        鏡面と梨地面との合わせ部
１４        熱シール部
１５        スリッター部
１６        透明又は不透明の積層フィルムの巻取
１７        不透明積層紙の巻取
１８        印刷部
１９        熱シール部
２０        ミシン部
２１        折畳部
２２        Ｚ折畳冊子状薬用連続包装用ラミネート紙
２３        センサーマーク
２４        熱シールして封印した部
２５        姓名・薬の詳細説明等印刷表示した図
２６        切り取りミシン
２７        包装された薬
【図１】
0003120545.tif 000003
【図２】
0003120545.tif 000004
【図３】
0003120545.tif 000005
【図４】
0003120545.tif 000006
【図５】
0003120545.tif 000007
【図６】
0003120545.tif 000008
【図７】
0003120545.tif 000009
【図８】
0003120545.tif 000010
【手続補正書】
【提出日】平成17年12月22日(2005.12.22)
【手続補正１】
【補正対象書類名】実用新案登録請求の範囲
【補正対象項目名】請求項２
【補正方法】変更
【補正の内容】
【請求項２】
透明又は不透明のフィルム１の片面にポリエチレン・ポリプロピレン等のごとき熱可塑性樹脂フィルム２を鏡面３を形成して積層したフィルム４と不透明紙５の片面にポリエチレン・ポリプロピレン等のごとき熱可塑性樹脂フィルム２を梨地面６を形成して積層した不透明紙５の反対面に、インクジェット印刷に適合した平滑加工及び塗布剤７を積層して形成された不透明積層紙９とを、鏡面３と梨地面６を向合わせ、一側縁の底に熱シール１０を施し折畳加工をしたＺ折畳冊子状薬用連続包装用ラミネート紙にインクジェット印刷で薬品の詳細説明を表示する薬用連続包装用ラミネート紙。